(57)【要約】【課題】  簡単な構造で召合せ部上下方向両端での扉と扉枠との密閉を高くし、密閉性が高い両開き扉装置を提供する。【解決手段】  後開き扉９ａの戸先側に召合せ部材１６を上下方向に設け、召合せ部材１６の上下方向の端部を薄板状に形成して被挟持部材１７とする。先開き扉９ｂの戸先側に召合せシール部材１９を上下方向に設ける。扉枠５を構成する竪枠６および横枠７にシール部材１４を設け、被挟持部１７をシール部材１４と召合せシール部材１９とで挟み込んで両扉９ａ、９ｂの戸先側の召合せ部を密閉する。また、扉枠５のシール部材１４に対向する一対の扉９ａ、９ｂの縁部にエッジ部材１５設け、エッジ部材１５をシール部材１４に食い込ませて密着させて開口部４を密閉する。【選択図】  図５
2011094332.tif 000002
【特許請求の範囲】
【請求項１】
扉枠の開口部に吊り元側を扉枠に枢着した一対の扉を夫々開閉可能に設け、一方の扉の戸先側に召合せ部材を上下方向に設け、召合せ部材あるいは他方の扉の戸先側のいずれかに召合せシール部材を設けて、召し合せシール部材を介して一方の扉の召し合せ部材と他方の扉の戸先側とを圧着して両方の扉の戸先側を密着させ、扉あるいは扉枠のいずれかにシール部材を設けて双方を圧着して開口部を密閉する両開き扉装置において、
前記他方の扉を先開き扉とし、先開き扉の戸先側に前記召合せシール部材を上下方向に設け、前記召合せ部材を設けた一方の扉を後開き扉とし、前記扉枠を構成する竪枠および横枠に前記シール部材を一対の扉の縁部が圧着するように設け、前記召合せ部材の上下方向の端部を被挟持部とし、被挟持部を前記シール部材と前記召合せシール部材とで挟み込んで密閉するようにしたことを特徴とする両開き扉装置。
【請求項２】
前記召合せ部材は、少なくとも前記被挟持部を薄板状に形成したことを特徴とする請求項１記載の両開き扉装置。
【請求項３】
前記被挟持部に、上下方向の端側および先開き扉側に向かうにつれて薄くなる略斜面の面取り端部を形成したことを特徴とする請求項２記載の両開き扉装置。
【請求項４】
前記一対の扉に引寄せ機構を備えたロック手段を設け、前記一対の扉の縁部に前記シール部材と対向可能なエッジ部材を突出するように設け、エッジ部材を前記被挟持部あるいは前記召合せシール部材と連続させ、一対の扉をロック手段の引寄せ機構により前記扉枠に圧着することでエッジ部材を前記シール部材に食い込ませて密着させ、前記扉枠の開口部と、前記両方の扉の戸先側を水密に密閉するように構成して防水扉としたことを特徴とする請求項１〜３いずれか１項記載の両開き扉装置。
【発明の詳細な説明】
【技術分野】
【０００１】
本発明は、扉あるいは扉枠のいずれか一方にシール部材を設けて他方と圧着させて密閉する両開き扉装置に関する。
【背景技術】
【０００２】
従来、両開き扉装置は建物等の出入口などに設置されるものである。また、両開き扉装置にはその目的により、例えば、水密性を備えた防水扉、気密性を備えた防音扉などが知られている。これらは、出入口部となる開口枠の左右の竪枠に、一方に召合せ部を備えた左右一対の扉を開閉可能に夫々設け、扉と開口枠との間にシール部材を設けて圧着させ、水密あるいは気密に塞ぐものである。防水扉は通常時には両開き扉としても使用でき、洪水時などには防水扉と開口枠の隙間から水が浸入するのを防ぐ水密構造になっている。防音扉は騒音などの発生する場所の出入口等に使用され、防音扉と開口枠の隙間から音が漏洩するのを防ぐ気密構造になっている。
【０００３】
防水扉の両開き扉装置として、特許文献１のものが知られている。これは、閉鎖時には、主扉下部の吊元側より外方に突出するロッドが縦枠に干渉して押し込みされ、ロッドに連結する板ばねが下方にたわんで主扉下部に設けられた下横主扉用水密材を下方に移動させ、下枠の上面に下横主扉用水密材が圧接される。また、副扉下部には下横副扉用水密材が設けられ、通常時は閉じた状態で下枠の上面に圧接している。そして、主扉を閉じると、副扉の召合せ突片に設けられた召合せ水密材が主扉の召合せ框に圧接する。更に、召合せ突片の下部には召合せ下部水密材が設けられ、召合せ下部水密材は主扉を閉じた状態で下枠の上面に圧接すると共に主扉の下横主扉用水密材と副扉の下横副扉用水密材とに接触させて、水密性を上げる構造になっている。
【０００４】
また、防音扉の両開き扉装置として、特許文献２のものが知られている。これは、扉枠側に気密パッキンを設けて、扉本体を閉じた時に扉本体の周囲面を当接させている。また、一方の扉本体に戸当たり部材が設けられ、戸当たり部材に気密パッキンを設けて、他方の扉本体に当接させている。そして、戸当たり部材の上部と下部には、扉本体間の隙間を閉塞するゴム板が戸当たり部材の気密パッキンと並ぶように設けられ、ゴム板の切欠き溝が扉枠側の横枠ゴムパッキンと当接し、気密する構造になっている。
【先行技術文献】
【特許文献】
【０００５】
【特許文献１】特許第３２３５０５２号公報
【特許文献２】特開２００４−６０３８１号公報
【発明の概要】
【発明が解決しようとする課題】
【０００６】
しかしながら、特許文献１に記載のものでは、下枠の上面に下横主扉用水密材を圧接させる構造となっているので下枠の上面にゴミなどが付着しやすく、防水扉下部において水密性が弱くなる問題がある。また、主扉を閉めることにより、押し込みされたロッドに連結する板ばねが下方にたわむことで下横主扉用水密材を下枠の上面に圧接させる構造となっていて、構造が複雑である。さらには、板ばねを下方にたわませることにより下横主扉用水密材を下枠の上面に圧接させる構造のため、板ばねがたわむのは長手方向中央付近であり、両端側になるほど下横主扉用水密材を下方に押し下げる力が弱く、長手方向において下横主扉用水密材が下枠の上面に均等な力で圧接されず、防水扉下部において水密性が弱いことが問題である。そのため、この下横主扉用水密材は召合せ部の下部では召合せ下部水密材とも接触するが、召合せ下部水密材に強く押しつけられるものではないので、水密性が弱いという問題があった。
【０００７】
また、特許文献２に記載のものでは、戸当たり部材から突出したゴム板が横枠ゴムパッキンに当接するだけのものであり、召合せ部の隙間の位置ではゴム板は横枠ゴムパッキンに押し付けられておらず、密閉性が低い問題があった。また、戸当たり部材の上部と下部に設けたゴム板が召合せ部の隙間に露呈していて強度的に弱く、防水扉にこのゴム板の構造を採用した場合、高い水圧が直接かかるため浸水しやすい。しかも、ゴム板は戸当たり部材の気密パッキンと並ぶように設けられているだけなので、高い水圧が直接かかるとゴム板と気密パッキンの隙間から浸水する。つまり、洪水時などに高い水密性を必要とする防水扉とするには水密性に問題がある。
【０００８】
そこで本発明は、上記問題点に鑑み、簡単な構造で召合せ部上下方向両端での扉と扉枠との密閉を高くし、密閉性が高い両開き扉装置を提供することを目的とする。
【課題を解決するための手段】
【０００９】
上記目的を達成するために、第１の課題解決手段は、扉枠の開口部に吊り元側を扉枠に枢着した一対の扉を夫々開閉可能に設け、一方の扉の戸先側に召合せ部材を上下方向に設け、召合せ部材あるいは他方の扉の戸先側のいずれかに召合せシール部材を設けて、召し合せシール部材を介して一方の扉の召し合せ部材と他方の扉の戸先側とを圧着して両方の扉の戸先側を密着させ、扉あるいは扉枠のいずれかにシール部材を設けて双方を圧着して開口部を密閉する両開き扉装置において、前記他方の扉を先開き扉とし、先開き扉の戸先側に前記召合せシール部材を上下方向に設け、前記召合せ部材を設けた一方の扉を後開き扉とし、前記扉枠を構成する竪枠および横枠に前記シール部材を一対の扉の縁部が圧着するように設け、前記召合せ部材の上下方向の端部を被挟持部とし、被挟持部を前記シール部材と前記召合せシール部材とで挟み込んで密閉するようにしたことである。
【００１０】
また、第２の課題解決手段は、前記召合せ部材は、少なくとも前記被挟持部を薄板状に形成したことである。
【００１１】
また、第３の課題解決手段は、前記被挟持部に、上下方向の端側および先開き扉側に向かうにつれて薄くなる略斜面の面取り端部を形成したことである。
【００１２】
また、第４の課題解決手段は、前記一対の扉に引寄せ機構を備えたロック手段を設け、前記一対の扉の縁部に前記シール部材と対向可能なエッジ部材を突出するように設け、エッジ部材を前記被挟持部あるいは前記召合せシール部材と連続させ、一対の扉をロック手段の引寄せ機構により前記扉枠に圧着することでエッジ部材を前記シール部材に食い込ませて密着させ、前記扉枠の開口部と、前記両方の扉の戸先側を水密に密閉するように構成して防水扉としたことである。
【発明の効果】
【００１３】
本願の請求項１の発明では、前記他方の扉を先開き扉とし、先開き扉の戸先側に前記召合せシール部材を上下方向に設け、前記召合せ部材を設けた一方の扉を後開き扉とし、前記扉枠を構成する竪枠および横枠に前記シール部材を一対の扉の縁部が圧着するように設け、前記召合せ部材の上下方向の端部を被挟持部とし、被挟持部を前記シール部材と前記召合せシール部材とで挟み込んで密閉するようにした。これによれば、簡単な構造で召合せ部上下方向両端での扉と扉枠との密閉性を高くできる。
【００１４】
また、本願の請求項２の発明では、前記召合せ部材は、少なくとも前記被挟持部を薄板状に形成した。これによれば、被挟持部をシール部材と召合せシール部材とで挟み込みやすく、簡単な構造で密閉性を高くできる。
【００１５】
また、本願の請求項３の発明では、前記被挟持部に、上下方向の端側および先開き扉側に向かうにつれて薄くなる略斜面の面取り端部を形成した。これによれば、被挟持部がシール部材と召合せシール部材に挟み込まれる箇所において、被挟持部の角部の厚みを薄くしていくことで、被挟持部によるシール部材と召合せシール部材の変形による隙間が極めて小さくなって、３者がより密着しやすくなり、密閉性を高くできる。
【００１６】
また、本願の請求項４の発明では、前記一対の扉に引寄せ機構を備えたロック手段を設け、前記一対の扉の縁部に前記シール部材と対向可能なエッジ部材を突出するように設け、エッジ部材を前記被挟持部あるいは前記召合せシール部材と連続させ、一対の扉をロック手段の引寄せ機構により前記扉枠に圧着することでエッジ部材を前記シール部材に食い込ませて密着させ、前記扉枠の開口部と、前記両方の扉の戸先側を水密に密閉するように構成して防水扉とした。これによれば、両開きの防水扉であっても戸先側の召合せ部での水密性、特に召合せ部材の上下方向両端の水密性が高くなり、扉と扉枠を水密に密閉でき、洪水時などにおいて、扉と扉枠の隙間から水が浸入するのを防ぐことができる。
【図面の簡単な説明】
【００１７】
【図１】本発明の両開き扉装置を室外側正面から見た全体図である。
【図２】図１のＩＩ−ＩＩ線拡大断面図である。
【図３】図１のＩＩＩ−ＩＩＩ線拡大断面図である。
【図４】図２のＩＶ視部分拡大図であり、召合せ部の下部周辺を示す図である。
【図５】図４のＶ−Ｖ線拡大断面図である。
【図６】図４のＶＩ−ＶＩ線拡大断面図であり、被挟持部の角部の断面形状を示す図である。
【発明を実施するための形態】
【００１８】
本願発明の実施の形態について、図１〜図６により説明する。本実施の形態は両開き防水扉装置に採用した実施例である。本実施の形態では、特開２００８−３１７１０号公報に記載の片開き式である防水扉装置の水密構造と略同じ構造であり、両開き式による召合せ部の構造が異なる。尚、以降の説明において、扉の回転軸側を「吊元」、その反対側を「戸先」と称する。
両開き扉装置１は、ビル等の建物躯体２に形成された開口３に嵌め込まれ、建物躯体２との間にコーキング材が充填されて固定的に装着されている。両開き扉装置１は、矩形の開口部（出入口部）４を有する竪枠６および横枠７で構成する扉枠５と、扉枠５の左右の竪枠６に上下一対および左右対称に設けた蝶番装置８によって出入口部４に吊元側が夫々枢着されている左右一対の扉９ａ、９ｂと、その一方の扉９ａの吊元側と他方の扉９ｂの吊元側および戸先側の室内側に図示しない引き寄せ機構を備えたロック手段である引き寄せハンドル装置１０を夫々備えている。蝶番装置８は、特開２００８−３１７１０号公報に記載のものを採用しており、閉鎖時に一対の扉９ａ、９ｂを扉枠５側に移動可能に枢支している。
【００１９】
扉枠５を構成する、左右一対の竪枠６と横枠７としての上枠７ａおよび下枠７ｂの各開口側面に、見込幅の室内側端部から開口側へ張り出す扉受け部１１が全周に亘って設けられ、これらの扉受け部１１の室外側に扉受け部１１の先端から室外側へ張り出す保持片１２を設けることによってシール部材嵌合溝１３が室外側側面に夫々形成されている。図４、図５に示すように、上枠７ａと下枠７ｂの保持片１２には、長手方向の中央部に切り欠き部１２ａが夫々形成されている。ここで、両開き扉装置１の構造において、上枠７ａ側と下枠７ｂ側の構造は上下対称となっているので、本実施の形態では、以降の説明は図４、図５に示す下枠７ｂ側にて説明する。また、図４において、下枠７ｂの保持片１２および切り欠き部１２ａとシール部材１４の位置を二点鎖線で示す。一対の竪枠６と上枠７ａと下枠７ｂとの各シール部材嵌合溝１３は互いに連続され、扉枠５の側面全周に亘って環状に形成されている。シール部材嵌合溝１３には、シール部材１４が全長に亘って嵌合され、接着剤によって固着されている。シール部材１４は扉枠５の側面の全周に亘って扉９ａ、９ｂの上側、吊元側および下側の縁部に対向可能に位置されている。尚、上枠７ａおよび下枠７ｂの切り欠き部１２ａにおいて、シール部材１４は図４、図５に示すように切り欠き部１２ａから露出した状態で位置されている。
【００２０】
一対の扉９ａ、９ｂには、シール部材１４と対向可能な上側、吊元側および下側の縁部に扉９ａ、９ｂの閉鎖側へ突出するエッジ部材１５が連続して夫々設けられている。エッジ部材１５は、扉９ａ、９ｂを扉枠５の扉受け部１１側へ引き寄せることでシール部材１４に大きく食い込んで密着する。また、エッジ部材１５の扉９ａ、９ｂ側には、ゴム板１５ａが連続して夫々設けられ、ゴム板１５ａはエッジ部材１５と扉９ａ、９ｂに夫々密着している。
【００２１】
一方の扉９ａの戸先側には、上下方向の略全長に亘って召合せ部材１６が室内側に設けられている。召合せ部材１６には、戸当たり面１６ａが上下方向に形成され、閉鎖時には戸当たり面１６ａに他方の扉９ｂの戸先側に設けられた後述する召合せシール部材１９が密着する。図４、図５に示すように、召合せ部材１６の上下方向の端部である上端部および下端部には、戸当たり面１６ａを残すようにその反対面側から切り欠かれて薄板状の被挟持部１７が形成されている。被挟持部１７には、戸当たり面１６ａの反対面が枠当たり面１７ａとされ、閉鎖時には枠当たり面１７ａが横枠７の側面に設けられたシール部材１４に密着する。
【００２２】
本実施の形態では、召合せ部材１６は屈曲させた薄板材を組み合わせて構成しているが、これが、例えば、ブロック材を切り欠いて構成したものや、ブロック材と薄板材を組み合わせて構成したものや、その他の構成であっても何ら差し支えない。
【００２３】
被挟持部１７には、図４および図６に示すように、戸当たり面１６ａ側から枠当たり面１７ａ側に向かって、召合せ部材１６の上下方向端側および他方の扉９ｂ側に向かうにつれて角部の厚みが薄くなるように傾斜した斜面と成る面取り端部１７ｂが形成されている。これは、扉を閉じた時、被挟持部１７がシール部材１４と後述する召合せシール部材１９と密着する箇所において、面取り端部１７ｂにより被挟持部１７とシール部材１４と召合せシール部材１９との間にできる隙間が極めて小さくなって、より密着することで密閉性を向上させる為である。尚、本実施の形態では、戸当たり面１６ａ側から面取り端部１７ｂを形成したが、これが枠当たり面１７ａ側からでも、あるいは両側から形成する等しても何ら差し支えない。
【００２４】
召合せ部材１６の上下方向の上端部および下端部において、被挟持部１７は一方の扉９ａのエッジ部材１５およびゴム板１５ａと夫々接している。召合せ部材１６と一方の扉９ａの隙間にはシーリング材１８を充填し、被挟持部１７と一方の扉９ａおよびエッジ部材１５の戸先側端部との隙間にも図示しないシーリング材を充填し、召し合わせ部材１６の被挟持部１７と一方の扉９ａのエッジ部材１５およびゴム板１５ａを一方の扉９ａの縁部において全周に亘って環状に連続させている。
【００２５】
他方の扉９ｂの戸先側には、上下方向に沿って召合せシール部材１９が室内側に接着剤によって固着されている。閉鎖時には、召合せシール部材１９のシール面１９ａが召合せ部材１６の戸当たり面１６ａに密着し、上下方向の上端部および下端部では、図４、図５に示すように、横枠７の側面に設けられたシール部材１４にも密着する。
【００２６】
召合せシール部材１９の上下方向の上端部および下端部において、召合せシール部材１９は他方の扉９ｂのエッジ部材１５およびゴム板１５ａと夫々接している。召合せシール部材１９と他方の扉９ｂおよびエッジ部材１５の戸先側端部との隙間に図示しないシーリング材を充填し、召合せシール部材１９と他方の扉９ｂのエッジ部材１５およびゴム板１５ａを他方の扉９ｂの縁部において全周に亘って環状に連続させている。
【００２７】
引き寄せ機構を備えたロック手段である引き寄せハンドル装置１０は、図示しない引き寄せ機構を備えたグレモン締り式の一般的なハンドル装置で、一方の扉９ａの吊元側と他方の扉９ｂの吊元側および戸先側の室内側に夫々設けられ、図示しない引き寄せ機構が一対の扉９ａ、９ｂおよび扉枠５に夫々内装されている。引き寄せハンドル装置１０は、引き寄せハンドル１０ａを回動させることにより、図示しない引き寄せ機構によって、扉９ａ、９ｂが一体に扉枠５側へ引き寄せられ、閉鎖されるようになっている。尚、引き寄せハンドル装置１０は、両開き扉装置１の設置場所や目的に応じて、室外側に設けてもよいし、両側からハンドル操作できるものでもよい。また、引き寄せ機構を備えたロック手段であれば、本実施の形態の引き寄せハンドル装置１０に限定されるものではない。
【００２８】
次に、一対の扉９ａ、９ｂの開閉動作について説明する。扉９ａ、９ｂを開ける場合には、まず先開き扉となる他方の扉９ｂを先に開けてから、後開き扉となる一方の扉９ａを開ける。閉じる場合には、まず一方の扉９ａを先に閉じてから、他方の扉９ｂを閉じる。また、扉９ａ、９ｂを閉じた状態で、他方の扉９ｂの戸先側の引き寄せハンドル装置１０の引き寄せハンドル１０ａを回動させることで、他方の扉９ｂの戸先側が閉鎖され、一方の扉９ａは召合せ部材１６が他方の扉９ｂの戸先側に干渉して開けることができないので、扉９ａ、９ｂを施錠した状態にできる。
【００２９】
また、洪水発生時等により扉枠５の出入口部４からの浸水が予想される場合には、一対の扉９ａ、９ｂを閉じた状態で、一方の扉９ａの吊元側と他方の扉９ｂの吊元側および戸先側の引き寄せハンドル装置１０の引き寄せハンドル１０ａを夫々回動させることで、一対の扉９ａ、９ｂ全体が扉枠５の扉受け部１１側へ引き寄せられる。一対の扉９ａ、９ｂが扉枠５の扉受け部１１側へ引き寄せられ扉枠５と圧着すると、一対の扉９ａ、９ｂの上側、吊元側および下側の縁部に設けられたエッジ部材１５が扉枠５に設けられたシール部材１４に大きく食い込んで密着し出入口部４を密閉する。また、召合せ部材１６の上端部および下端部において、被挟持部１７の枠当たり面１７ａが横枠７のシール部材１４と夫々圧着する。さらに、他方の扉９ｂの召合せシール部材１９のシール面１９ａが召合せ部材１６の戸当たり面１６ａに圧着し、上端部と下端部では横枠７のシール部材１４にも圧着する。つまり、扉９ａ、９ｂの召合せ部において、他方の扉９ｂの戸先側の召合せシール部材１９が一方の扉９ａの戸先側の召合せ部材１６と密着し、召合せ部の上部および下部では、召合せ部材１６の被挟持部１７を横枠７のシール部材１４と他方の扉９ｂの召合せシール部材１９とで挟み込んで密着し、両方の扉９ａ、９ｂの戸先側の召合せ部を密閉する。尚、横枠７の保持片１２に設けた切り欠き部１２ａにより、閉鎖時に被挟持部１７および召合せシール部材１９は保持片１２と干渉することはない。そして、扉９ａ、９ｂは、各引き寄せハンドル装置１０によって夫々閉鎖され、扉枠５の出入口部４を水密に塞ぐことができ、一対の扉９ａ、９ｂが完全に水没した状態であっても出入口部４からの浸水を確実に防止できる。
【００３０】
本発明の両開き扉装置１は、密閉構造において、簡単な構造で水密性が高い。これは、両開きの防水扉としては、本実施の形態のような四方枠付き防水扉だけでなく、上枠の無い門扉タイプの防水扉にもこの構造は使用可能であり、敷地の外壁に設置されている通用門などにも使用できる。また、この構造は両開きの防水扉以外にも、例えば、防音扉、電磁シールド扉、気密扉、防火戸などの密閉構造にも応用可能である。
【符号の説明】
【００３１】
１  両開き扉装置
４  出入口部（開口部）
５  扉枠
６  竪枠
７  横枠
９ａ  扉（後開き扉）
９ｂ  扉（先開き扉）
１０  引き寄せハンドル装置（ロック手段）
１４  シール部材
１５  エッジ部材
１６  召合せ部材
１７  被挟持部
１７ｂ  面取り端部
１９  召合せシール部材
【図１】
2011094332.tif 000003
【図２】
2011094332.tif 000004
【図３】
2011094332.tif 000005
【図４】
2011094332.tif 000006
【図５】
2011094332.tif 000007
【図６】
2011094332.tif 000008